(57)【要約】      （修正有）【課題】各弦に対する音質・音量・出力信号の制御が可能である撥弦型電気楽器を提供する。【解決手段】複数弦張られている各弦下に設置されたピックアップが、各弦の音を拾い、各弦用のミニスイッチ、音量調整用可変抵抗器、音質調整用可変抵抗器を通過し、混合させることなく、各弦用のモノラル出力ジャックから音声信号として出力するように、各構成を各弦用ごとに接続する。【選択図】図１
0003166327.tif 000002
【実用新案登録請求の範囲】
【請求項１】
複数弦張られている各弦に対応するピックアップを設置し、各ピックアップそれぞれに独立した配線を施すことによって、音質・音量・信号を制御し、混合させることなく出力する。
【考案の詳細な説明】
【技術分野】本考案は、アンプで増幅し、スピーカーから発音する、撥弦型電気楽器の音質・音量・出力信号の制御に関する。
【背景技術】従来の撥弦型電気楽器には、その楽器に張られている複数弦すべてをひとつとみなし、永久磁石によって作られている弦振動を電気信号に変えるピックアップを、１から３個設置しているものがある。
【先行技術文献】
リットーミュージックムック第６９号リプレイスメント・ピックアップのすべてリットーミュージックムック第２８号ギターマガジン・ピックアップブック
【考案の概要】
【考案が解決しようとする課題】撥弦型電気楽器の多くは、複数弦張られているにも関わらず、それらをひとつとみなすピックアップの設置しか行われず、各弦に対する音質・音量・出力信号の制御が不可能である。
【解決するための手段】
複数弦張られている各弦に対応するピックアップを設置し、各ピックアップそれぞれに独立した配線を施すことによって、音質・音量・信号を制御し、混合させることなく出力する。
【考案の効果】
演奏者が求める音質・音量が任意に容易に入手でき、複数の出力信号により、音作りの可能性が広がる。弦から発する出力信号が混合することなく増加するため、演奏者の考案次第で上下・左右・奥行き・幅のある音の立体的な動きを、聴衆は体感できる。
【図面の簡単な説明】各弦下に設置されたピックアップが各弦の音を拾い、各弦用のミニスイッチ、音量・音質調整用可変抵抗器を通過し、各弦用のモノラル出力ジャックから音声信号として出力する。
【図】無発電装置・各弦対応型ピックアップ付き撥弦型電気楽器、６弦エレクトリックギターを示した平面図である。
【考案を実施するための形態】
無発電装置・各弦対応型ピックアップ付き撥弦型電気楽器
【実施例】６弦エレクトリックギター、その他鉄弦を用いた撥弦楽器の指板最終部分からブリッジの間の弦の下であれば、使用する電子部品の種類・数・位置は演奏者の任意次第で応用可能。
【符号の説明】１    １弦用ピックアップ
２    ２弦用ピックアップ
３    ３弦用ピックアップ
４    ４弦用ピックアップ
５    ５弦用ピックアップ
６    ６弦用ピックアップ
この場合はすべて同一種類のシングルコイルピックアップと設定
１ａ  １弦用ミニスイッチ
２ａ  ２弦用ミニスイッチ
３ａ  ３弦用ミニスイッチ
４ａ  ４弦用ミニスイッチ
５ａ  ５弦用ミニスイッチ
６ａ  ６弦用ミニスイッチ
この場合は６ピン・オン・オフ・オンミニスイッチと設定
１ｂ  １弦用音量調整
２ｂ  ２弦用音量調整
３ｂ  ３弦用音量調整
４ｂ  ４弦用音量調整
５ｂ  ５弦用音量調整
６ｂ  ６弦用音量調整
この場合は２５０キロオーム・Ｂカーブの可変抵抗器と設定
１ｃ  １弦用音質調整
２ｃ  ２弦用音質調整
３ｃ  ３弦用音質調整
４ｃ  ４弦用音質調整
５ｃ  ５弦用音質調整
６ｃ  ６弦用音質調整
この場合は２５０キロオーム・Ａカーブの可変抵抗器と設定
１ｄ  １弦用出力ジャック
２ｄ  ２弦用出力ジャック
３ｄ  ３弦用出力ジャック
４ｄ  ４弦用出力ジャック
５ｄ  ５弦用出力ジャック
６ｄ  ６弦用出力ジャック
この場合はモノラル出力ジャックと設定
７    指板最終部分
８    ブリッジ
0003166327.tif 000003
【手続補正書】
【提出日】平成22年12月2日(2010.12.2)
【手続補正１】
【補正対象書類名】実用新案登録請求の範囲
【補正対象項目名】全文
【補正方法】変更
【補正の内容】
【実用新案登録請求の範囲】
【請求項１】
複数弦張られている各弦下に設置されたピックアップが、各弦の音を拾い、各弦用のミニスイッチ、音量調整用可変抵抗器、音質調整用可変抵抗器を通過し、混合させることなく、各弦用のモノラル出力ジャックから音声信号として出力するように、上記各構成を各弦用ごとに接続した、無発電装置・各弦対応型ピックアップ付き撥弦型電気楽器。
【手続補正２】
【補正対象書類名】明細書
【補正対象項目名】全文
【補正方法】変更
【補正の内容】
【考案の詳細な説明】
【技術分野】
【０００１】本考案は、アンプで増幅し、スピーカーから発音する、撥弦型電気楽器の音質・音量・出力信号の制御に関する。
【背景技術】
【０００２】従来の撥弦型電気楽器には、その楽器に張られている複数弦すべてをひとつとみなし、永久磁石によって作られている弦振動を電気信号に変えるピックアップを、１から３個設置しているものがある。
【先行技術文献】
【０００３】リットーミュージックムック第６９号リプレイスメント・ピックアップのすべて
リットーミュージックムック第２８号ギターマガジン・ピックアップブック
【考案の概要】
【考案が解決しようとする課題】
【０００４】撥弦型電気楽器の多くは、複数弦張られているにも関わらず、それらをひとつとみなすピックアップの設置しか行われず、各弦に対する音質・音量・出力信号の制御が不可能である。
【解決するための手段】
【０００５】複数弦張られている各弦下に設置されたピックアップが、各弦の音を拾い、各弦用のミニスイッチ、音量調整用可変抵抗器、音質調整用可変抵抗器を通過し、混合させることなく、各弦用のモノラル出力ジャックから音声信号として出力するように、上記各構成を各弦用ごとに接続した、無発電装置・各弦対応型ピックアップ付き撥弦型電気楽器。
【考案の効果】
【０００６】演奏者が求める音質・音量が任意に容易に入手でき、複数の出力信号により、音作りの可能性が広がる。弦から発する出力信号が混合することなく増加するため、演奏者の考案次第で上下・左右・奥行き・幅のある音の立体的な動きを、聴衆は体感できる。
【図面の簡単な説明】
【０００７】
【図１】本考案の実施例による６弦エレクトリックギターの平面図である。
【考案を実施するための形態】
【０００８】無発電装置・各弦対応型ピックアップ付き撥弦型電気楽器
【実施例】
【０００９】６弦エレクトリックギター、その他鉄弦を用いた撥弦楽器の指板最終部分からブリッジの間の弦の下であれば、使用する電子部品の種類・数・位置は演奏者の任意次第で応用可能。
【符号の説明】
【００１０】１    １弦用ピックアップ
２    ２弦用ピックアップ
３    ３弦用ピックアップ
４    ４弦用ピックアップ
５    ５弦用ピックアップ
６    ６弦用ピックアップ
この場合はすべて同一種類のシングルコイルピックアップと設定【００１１】１ａ  １弦用ミニスイッチ
２ａ  ２弦用ミニスイッチ
３ａ  ３弦用ミニスイッチ
４ａ  ４弦用ミニスイッチ
５ａ  ５弦用ミニスイッチ
６ａ  ６弦用ミニスイッチ
この場合は６ピン・オン・オフ・オンミニスイッチと設定【００１２】１ｂ  １弦用音量調整
２ｂ  ２弦用音量調整
３ｂ  ３弦用音量調整
４ｂ  ４弦用音量調整
５ｂ  ５弦用音量調整
６ｂ  ６弦用音量調整
この場合は２５０キロオーム・Ｂカーブの可変抵抗器と設定【００１３】１ｃ  １弦用音質調整
２ｃ  ２弦用音質調整
３ｃ  ３弦用音質調整
４ｃ  ４弦用音質調整
５ｃ  ５弦用音質調整
６ｃ  ６弦用音質調整
この場合は２５０キロオーム・Ａカーブの可変抵抗器と設定【００１４】１ｄ  １弦用出力ジャック
２ｄ  ２弦用出力ジャック
３ｄ  ３弦用出力ジャック
４ｄ  ４弦用出力ジャック
５ｄ  ５弦用出力ジャック
６ｄ  ６弦用出力ジャック
この場合はモノラル出力ジャックと設定【００１５】７    指板最終部分【００１６】８    ブリッジ
【手続補正３】
【補正対象書類名】図面
【補正対象項目名】全図
【補正方法】変更
【補正の内容】
【図１】
0003166327.tif 000004